(57)【要約】【課題】    装着時の圧迫感を軽減しつつ、マスク内への水の浸入を防止でき、レギュレータによる空気の供給時及び排出時におけるノイズを低減し、ハウリングを防止できる水中通話に好適な潜水マスクを提供する。【解決手段】  レギュレータによる空気供給を受けることが可能であって、水中通話装置による水中通話が可能な水中通話用マウスマスクにおいて、該マスクの着用者の顔面に弾性的且つ耐漏水的に密着させる周縁部と、空気供給の経路上にハウリング防止部材を備えてなる構成とする。【選択図】  図１
2005212632.tif 000002
【特許請求の範囲】
【請求項１】
レギュレータによる空気供給を受けることが可能であって、水中通話装置による水中通話が可能なマウスマスクにおいて、
該マスクの着用者の顔面に弾性的且つ耐漏水的に密着させる周縁部と、
空気供給の経路上にハウリング防止部材を備えたことを特徴とする、
水中通話用マウスマスク。
【請求項２】
レギュレータ装着部及びマイクロホン装着部を備えたマスク本体と、
前記マスク本体の内側に設けられたインナー部から構成され、
前記インナー部は、上記ハウリング防止部材と、上記周縁部を一体的に具備するように成形されたことを特徴とする、請求項１に記載の水中通話用マウスマスク。
【請求項３】
上記周縁部が、独立気泡構造の発泡合成樹脂素材からなることを特徴とする、請求項１若しくは２に記載の水中通話用マウスマスク。
【請求項４】
上記水中通話装置が、上記マウスマスクに設けられたマイクロホンと、
前記マイクロホンで集音された音声を出力する出力手段から構成されることを特徴とする、請求項１若しくは２に記載の水中通話用マウスマスク。
【発明の詳細な説明】
【技術分野】
【０００１】
本願発明は、レギュレータによる空気供給を受けることが可能であって、水中通話に好適なマウスマスクに関する。
【背景技術】
【０００２】
従来より、水中呼吸だけでなく、他のダイバーとの意思疎通を図れることを目的としたスキューバ潜水装置が種々開発されており、レギュレータを固定できる潜水マスクと、該潜水マスクに組み込まれた音声受信用マイクロホンから構成されるものがある。この従来技術において、潜水前の準備段階で、ダイバーは、締め付けバンド等によってマウスマスクを緊結して口前面を覆うか又は、フルフェイスマスクで顔全面を覆い、水中呼吸と水中通話とを行なう。同様に、送信回路及び受信回路が内蔵された水中通話機の本体、スピーカー等も、潜水前の準備段階において装着される。
【０００３】
しかしながら、上記の従来技術には次のような問題点がある。すなわち、使用するマスクがマウスマスクの場合、潜水前の準備段階で該マスクをダイバーの顔の表面に密着固定しているにもかかわらず、潜水中にマスク内への水の浸入が起こりやすいという問題がある。これは、潜水中の通話時に、該マスクの形状が、鼻の付け根及び上唇に隣接した両頬部の領域における顔面形状の変化に追従できず、顔の表面とマスクとの間に間隙が生じるためである。また、ダイバーが潜水作業中に頭部を動かすと、該マスクと他の装備とが接触する等して、ダイバーのあごの下の部分においてマスクが滑りやすく、ダイバーのあごとマスクの間からも浸水しやすいという問題がある。
【０００４】
一方、使用するマスクがフルフェイスマスクの場合、上記したマウスマスクのような問題は生じにくいが、該マスクの脱着作業の操作性が悪く、非常に手間がかかるという問題がある。そのため、水面に浮上して短距離を移動する場合であっても、常にマスクを装着しなければならず、空気消費量の無駄が多い。
【０００５】
特開平９−３１５３８６号公報には、通常潜水時には、レギュレータにより水中呼吸を行い、水中通話時には、マウスマスクを口前面に装着し、水中呼吸と水中通話とを行うことのできるスキューバ潜水装置が開示されている。この発明によれば、マスク室内への水の侵入を防止できるとともに、フルフェイスマスクの場合に比べ装着時の圧迫感が軽減され装着性が良いので、発音時の口の動きが自由になり、高品質の発音を確保できることが開示されている。しかしながら、上記の特許公開公報に開示されたスキューバ潜水装置では、水中通話時におけるハウリング及び空気の吸排気音によるノイズを低減する効果について充分に考慮されていなかった。
【０００６】
【特許文献１】特開平９−３１５３８６号公報
【発明の開示】
【発明が解決しようとする課題】
【０００７】
本願発明は、上記の従来技術における問題点を克服し、高品質の水中通話を確保しつつ使用感を向上した、水中通話に好適な潜水マスクを提供することを課題とする。
【課題を解決するための手段】
【０００８】
上記の課題を解決すべく、本願発明のマウスマスクは、レギュレータによる空気供給を受けることが可能であって、水中通話装置による水中通話が可能なマウスマスクにおいて、該マスクの着用者の顔面に弾性的且つ耐漏水的に密着させる周縁部と、空気供給の経路上にハウリング防止部材を備えてなる構成としたものである。
【発明の効果】
【０００９】
本願発明の水中通話用マウスマスクによれば、弾性的な素材からなる周縁部が、該マスクを装着したダイバーの口唇の外側を全周に亘って面状に密着した状態を維持し、潜水中の通話時における顔面形状の変化に柔軟に追従する。そのため、締め付けバンド等による締め付け力を格段に大きくする必要がなく、装着時の圧迫感を軽減することができるとともに、マスク内への水の浸入を防止できる。また、本願発明の水中通話用マウスマスクは、空気供給の経路上にハウリング防止部材を備えているので、レギュレータによる空気の供給時及び排出時におけるノイズを低減し、ハウリングを防止することができる。
【発明を実施するための最良の形態】
【００１０】
上述したように、本願発明の水中通話用マウスマスクは、レギュレータによる空気供給を受けることが可能であって、空気供給の経路上にハウリング防止部材を備えてなる構成を有する。上記したようにレギュレータによる空気供給を可能にするため、例えば、水中通話用マウスマスク外部からレギュレータを装着できるように、上記マウスマスクにレギュレータ装着部を設けることができる。
【００１１】
また、ハウリング防止部材は、上記のレギュレータ装着部内、或いは該レギュレータ装着部周辺に、接着或いは嵌め合わせ等により取り付けることが好ましい。該ハウリング防止材の構成材料には、発泡合成樹脂素材が用いられ、好ましくは、アクリロニトリルブタジエンゴム、イソプレンゴム、ウレタンゴム、クロロプレンゴム、シリコンゴム、スチレンブタジエンゴム、フッ素ゴム等の合成ゴムからなる発泡性樹脂素材を使用する。該ハウリング防止材の形態として、少なくとも２以上の複数の空気孔を設けてあることが好ましい。レギュレータによる空気の供給及び排出を妨げることなく、ノイズを低減し、ハウリングを防止するためである。
【００１２】
また、上述したように、本願発明の水中通話用マウスマスクは、該マスクの着用者の顔面に弾性的且つ耐漏水的に面状に密着させる周縁部を有する。該周縁部は、水中通話用マウスマスク本体の周辺縁部に沿って、該マウスマスク本体の形状に適合するように設けられており、鼻の付け根及び上唇に隣接した顔面の両頬部の間の部分において、該マウスマスク本体の周辺縁部から１２ｍｍ〜１７ｍｍ伸延するように拡張した形状とするのが好ましい。このように、該周縁部が、鼻の付け根及び上唇に隣接した顔面の両頬部の間の部分においてマスク本体の周辺縁部から伸延した形状であるのが好ましいのは、潜水中の通話時におけるマウスマスク装着者の顔面形状の変化だけでなく、潜水作業中における頭部の動作によって、マウスマスクの装着位置のずれが生じた場合であっても耐漏水性を確保するためである。尚、該周縁部について、鼻の付け根及び上唇に隣接した顔面の両頬部の間以外の部分において、マウスマスク本体の周辺縁部から伸延する長さは、マウスマスクが他の機材と接触するのを防ぐため、１２ｍｍ〜１５ｍｍの範囲とするのが好ましい。尚、密着性を良好なものとするため、該周縁部をテーパー加工して、マスク装着者の顔側に向くようにテーパー面を形成するのが好ましい。或いは、傾斜面を有する周縁部を予め製造し、該傾斜面がマスク装着者の顔側に向くように、該周縁部をインナー部に熱溶着加工により貼り合わせて、インナー部を製造することもできる。該周縁部は、独立気泡構造の発泡合成樹脂素材を用いて成形し、特にクロロプレンゴムを用いるのが好ましい。また、上記周縁部において、鼻の付け根及び上唇に隣接した顔面の両頬部の間を除いた他の部分に布を縫い付けることにより、マウスマスクの耐久性を高めることができる。
【００１３】
上記のハウリング防止部材と周縁部とは、それぞれ別個独立した部材として本願発明の水中通話用マウスマスクを構成することができるが、一体的に具備するように成形することにより、本願発明の効果である耐漏水性、ノイズ低減及びハウリング防止効果が更に良好に発揮される。すなわち、本願発明の水中通話用マウスマスクを、マスク本体と、前記マスク本体の内側面を全体的に覆うように成形されたインナー部で構成するものとし、マスク本体とインナー部とはそれぞれ別個の材料で構成し、マスク本体は、インナー部の素材よりも硬質な合成樹脂、例えば、イソプレンゴム、シリコンゴム等の合成ゴムで構成することが好ましい。マスク本体には、レギュレータ及びマイクロホン等の装備を装着し、更には水圧等の外側からの力が加わるので、これらの物理的な作用に耐えうるための強度と耐久性が要求されるからである。上記のマスク本体は、レギュレータを装着できるレギュレータ装着部を具えると共に、マイクロホンが組み込まれた構成にすることができる。一方、前記マスク本体の内側に設けられたインナー部は、マスク本体の内側面を全体的に覆うものであって、構成部分として、ハウリング防止部材と周縁部を一体的に具備しており、独立気泡構造の発泡合成樹脂素材を用いて成形するものとし、特にクロロプレンゴムを用いるのが好ましい。また、該インナー部の肉厚は、周縁部以外の部分において５ｍｍ〜１０ｍｍの範囲とすることが好ましい。水中拡声器を使用した場合、マスク本体の形状によっては、拡声器で増幅された音声による振動が起こりやすく、それによってハウリングを生じる恐れが高いからである。尚、マスク本体へのインナー部の固定を強固にする目的で、接着剤を用いて部分的に接着することもできる。
【００１４】
上述したように、本願発明の水中通話用マウスマスクは、水中通話装置による水中通話が可能であり、該水中通話装置として、上記マウスマスクにマイクロホンを設けるとともに、前記マイクロホンで集音された音声を出力する出力手段を、該マスクの外側に別途設ける構成とすることができる。マイクロホンの取り付け位置は、上記マウスマスクの口前面にすることが好ましい。該マイクロホンの取り付け方法は、上記マウスマスク着用者の口に対向するマスク内側の面に直接取り付けるか、若しくは該マスク着用者の口に対向する位置にマイクロホン装着部を設け、該マイクロホン装着部にマイクロホンを装着する方法を採用することができる。上記マウスマスクに装着されたマイクロホンによって、ダイバーの音声は集音される。
【００１５】
上記したように、マイクロホンにより集音された音声は、マイクロホン内部の電気回路によって電気的な音声信号に変換された後、マウスマスクの外側に設けられた音声出力手段に送信され、該音声出力手段により、元の音声信号に復調される。音声出力手段は、増幅器とスピーカーから構成されており、スピーカーの形態としては、例えば、ヘッドホンに内蔵したもの、或いは拡声器の形態のいずれであっても採用することができる。また、上記の電気的な音声信号の送信手段は、有線若しくは無線のいずれも採用することができる。尚、無線による送信手段を採用した場合、下記のように音声が出力される。まず、上述したように電気的な音声信号として変換されたダイバーの音声は、送信回路に出力される。次いで、該送信回路は、搬送波としての超音波信号をこの音声信号によつて振幅変調し、その結果得た変調波を出力する。受信側では、この変調波を受信し、受信回路によつて元の音声信号に復調する。その結果得た音声信号はスピーカーから出力される。
【実施例】
【００１６】
以下、図面に基づいて、この発明の実施例に係る水中通話用マウスマスクを説明する。まず、第１の実施例を説明する。
【００１７】
図１において、１は全体として水中通話装置を示し、タンク３にレギュレータ（図示せず）と本願発明の第１実施例の水中通話用マウスマスク１０とが接続されている。また、図５の断面図に示されるように、水中通話用マウスマスク１０にはマイクロホンを装着可能なマイクロホン装着部１４が設けられており、該マイクロホン装着部１４に装着されたマイクロホン（図示せず）は、マイクコード５を介してマウスマスク１０の外側に設けられた音声出力手段としての水中拡声器２に接続されている。尚、図１において、レギュレータ及び通信機構４（点線部分）は、レギュレータ及びマイクロホンが装着される状態を概略的に表示したものである。
【００１８】
図１において、マウスマスク１０に設けられたマイクロホンによって、ダイバーの音声が集音される。集音された音声はマイクロホンで電気的な音声信号に変換され、マイクコード５を介してマウスマスク１０の外側に設けられた音声出力手段としての水中拡声器２に送信される。該水中拡声器２は、送信された電気的な音声信号を元の音声信号に復調し、当該音声信号を音声に復元し、他のダイバーに当該音声を伝達する。
【００１９】
図５に示すように、上記した第１実施例のマウスマスク１０は、マスク本体１１と、マスク本体１１の内側に設けられたインナー部１２で構成されている。マスク本体１１は合成樹脂製であり、図６に示すように、マイクロホン装着部１４及びレギュレータ装着部１５を有している。また、マスク本体１１は、図４の上面図において、着用者の顔面との密着性を高めるため、上記の鼻の付け根及び上唇の間に位置する部分において、その形状が略Ｕ字状になるように、やや抉られた形状に形成されている。マスク本体１１は、イソプレンゴム、シリコンゴム等の合成ゴムによってほぼ碗形状に成形されている。また、図６及び図８に示すマイクロホン装着部１４には、上記したようにマイクロホンを装着することができる。図７、図８において、顔面固定部１８が、マスク本体１１の内側の縁部の全周に亘って内向きに反転して内部に伸びるように形成されている。更に、図７、図８において、顔面固定部１８には、上記マスク着用者のあごを密着性良く置くことができるように、凹状に成形されたあご当接部１９が設けられている。すなわち、マスク本体１１の顔面固定部１８は、ダイバーが水中通話用マウスマスク１０を装着したとき、ダイバーの顔の表面に密着するように、ダイバーの口の周り、特に、頬部及び顎部の形状に合わせて成形されている。
【００２０】
インナー部１２は、クロロプレンゴム等の独立気泡構造の発泡合成樹脂素材を用いて、マスク本体１１の内側を完全に覆うように取り付けられる。インナー部１２は、マスク本体１１の形状に適合し、水中通話用マウスマスク１０を着用したときに、該マスクの着用者の顔面に弾性的且つ耐漏水的に面状に密着する形状を有する。また、図５において、上記マスク着用者のあごを置くことができるように、凹状に成形されたあご当接部２０が設けられている。更に、図４、図５において、該インナー部１２に設けられた該周縁部１３は、マスク本体１１の周辺縁部に沿って、マスク本体１１の形状に適合するように設けられている。また、図３〜図５において、周縁部１３は、マスク本体１１の周辺縁部から外側に拡張しており、鼻の付け根及び上唇に隣接した顔面の両頬部の間の部分において、１２ｍｍ〜１７ｍｍ、その他の部分において１２ｍｍ〜１５ｍｍの範囲でマスク本体１１の周辺縁部から伸延している。尚、該周縁部１３の端面は、テーパー面がマスク装着者の顔側に向くようにテーパー加工されている。
【００２１】
図３及び図５に示すように、この実施例において、インナー部１２は、その構成部分として、ハウリング防止部材３０を一体的に具備している。図３及び図５に示すように、該ハウリング防止部材３０は、クロロプレンゴム等の発泡性樹脂素材に複数の空気孔３１を設けたものであって、レギュレータ装着部１６の開口部分を完全に覆う形状を有する。尚、インナー部１２のマスク本体１１への固定を強固にする目的で、部分的に接着することもできる。
【００２２】
水中通話用マウスマスク１０は、脱落防止のため、バックル１６ａを外面両側に備えている。バックル１６ａは、バックル取付部１６ｃにより回動可能な状態でマスク本体１１に取り付けられている。第１実施例の水中通話用マウスマスク１０は、バックル１６ａ、バックル１６ｂにより潜水用キャップ２１が脱着可能となるように、図１に示すような形態で使用することができる。上述したように、本願発明の水中通話用マウスマスクは、マスクの着用者の顔面への密着性に優れており、固定バンドによる締め付け力を格段に大きくする必要がないので、装着時の圧迫感が軽減され、装着性が良い。また、マウスマスク１０の着脱も容易になるので、状況に応じてシュノーケルとマウスマスクを交互に使い分けることができ、空気の消費量の節約できる効果がある。
【００２３】
次に、図９、図１０に基づいて、本願発明の第２の実施例に係る水中通話用マウスマスク１０を説明する。図９は、上記第２実施例のマウスマスク１０を構成するインナー部１２の縦断面図である。図１０は、該インナー部１２の背面斜視図である。上記第２実施例のマウスマスク１０は、周縁部１３がインナー部１２と一体成形されたものではなく、図９に示される略三角形状の断面形状の周縁部１３を、該インナー部１２に接着して貼り合わせて製造したものである。第２実施例のマウスマスク１０の周縁部１３は、断面形状が略三角形状であり、先細りするように成形されている。また、第２実施例のマウスマスク１０の周縁部１３は、その端部Ｔが、周縁部１３とインナー部１２との接着面Ｓよりも拡開するように形成されている。上記の周縁部１３が伸延する長さは、鼻の付け根及び上唇の間に押し当てられる部分において１５〜１７ｍｍの範囲内であり、その他の部分において１３ｍｍ〜１５ｍｍの範囲である。尚、第２の実施例に係るマウスマスク１０には、第１実施例のマウスマスク１０のマスク本体１１と同一のものが使用されるので、マスク本体についての記載を省略する。
【図面の簡単な説明】
【００２４】
【図１】本発明の第１の実施例に係る水中通話用マウスマスク１０を用いた水中通話装置の概略構成図である。
【図２】本発明の第１の実施例に係る水中通話用マウスマスク１０の正面図である。
【図３】本発明の第１の実施例に係る水中通話用マウスマスク１０の背面図である。
【図４】本発明の第１の実施例に係る水中通話用マウスマスク１０の上面図である。
【図５】図２のＡ−Ａ’線断面図である。
【図６】図２に示されたマスク本体１１の側面図である。
【図７】図２に示されたマスク本体１１の背面図である。
【図８】図７のＢ−Ｂ’線断面図である。
【図９】本発明の第２の実施例のインナー部１２の縦断面図である。
【図１０】本発明の第２の実施例のインナー部１２の背面斜視図である。
【符号の説明】
【００２５】
１    水中通話装置
２    音声出力手段（水中拡声器）
３    タンク
４    レギュレータ及び通信機構
５    マイクコード
６    給気管
１０    水中通話用マウスマスク
１１    マスク本体
１２    インナー部
１３    周縁部
１４    マイクロホン装着部
１５    レギュレータ装着部
１６ａ  バックル（ソケット）
１６ｂ  バックル（プラグ）
１６ｃ  バックル取付部
１７    固定バンド
１８    顔面固定部
１９    あご固定部
２０    あご当接部
２１    潜水用キャップ
３０    ハウリング防止部材
３１    空気孔
Ｓ    周縁部１３の接着面
Ｔ    周縁部１３の端部
【図１】
2005212632.tif 000003
【図２】
2005212632.tif 000004
【図３】
2005212632.tif 000005
【図４】
2005212632.tif 000006
【図５】
2005212632.tif 000007
【図６】
2005212632.tif 000008
【図７】
2005212632.tif 000009
【図８】
2005212632.tif 000010
【図９】
2005212632.tif 000011
【図１０】
2005212632.tif 000012